(57)【要約】      （修正有）【課題】サイド補強層を設けて操縦安定性を向上させながら、乗り心地性を向上できる空気入りタイヤを提供する。【解決手段】空気入りタイヤ１は、一対のビードフィラーに対してタイヤ幅方向に隣接してタイヤ径方向外側に延びるように配置された一対のサイド補強層２１Ａを備える。サイド補強層２１Ａの複数の補強コード２２は、サイド補強層２１Ａのタイヤ径方向の内端２１ａを含み、タイヤ周方向に対して第１傾斜角度を有する内側直線部２２ｃと、サイド補強層２１Ａのタイヤ径方向の外端２１ｂを含み、タイヤ周方向に対して第１傾斜角度よりも小さい第２傾斜角度を有する外側直線部２２ｄとをそれぞれ備える。【選択図】図２Ａ
2019116173.tif 000002
【特許請求の範囲】
【請求項１】
トレッド部の両端からタイヤ径方向内側にそれぞれ延びる一対のサイドウォール部と、
前記一対のサイドウォール部のタイヤ径方向内側の端部にそれぞれ配置され、ビードコアと、前記ビードコアに連なってタイヤ径方向外側に延びるビードフィラーとを備える一対のビード部と、
前記一対のビード部の前記ビードフィラーに対して、タイヤ幅方向に隣接し、かつタイヤ径方向外側に延びるようにそれぞれ配置され、引き揃えられた複数の補強コードと、前記複数の補強コードを被覆するゴム層とを備え、前記複数の補強コードはタイヤ周方向に間隔をあけて配置され、かつ前記複数の補強コードはタイヤ径方向に対して傾斜している、一対のサイド補強層と
を備え、
前記一対のサイド補強層の少なくとも一方の前記複数の補強コードは、
前記サイド補強層のタイヤ径方向の内端を含み、タイヤ周方向に対して第１傾斜角度を有する第１部分と、
前記サイド補強層のタイヤ径方向の外端を含み、タイヤ周方向に対して前記第１傾斜角度よりも小さい第２傾斜角度を有する第２部分と
をそれぞれ備える、空気入りタイヤ。
【請求項２】
前記第１傾斜角度は２５度以上４５度以下であり、
前記第２傾斜角度は１５度以上３５度以下である、請求項１に記載の空気入りタイヤ。
【請求項３】
前記第１傾斜角度から前記第２傾斜角度を引いた差が５度以上である、請求項１又は請求項２に記載の空気入りタイヤ。
【請求項４】
前記一対のサイド補強層の両方の前記複数の補強コードが、前記第１部分と前記第２部分とをそれぞれ備える請求項１から請求項３のいずかれ１項に記載の空気入りタイヤ。
【請求項５】
回転向きが指定されており、
前記一対のサイド補強層のいずれについても、個々の前記補強コードは、タイヤ径方向の内端よりもタイヤ径方向の外端が前記回転向きの前方側に位置するように、タイヤ径方向に対して傾斜している、請求項１から請求項４のいずれか１項に記載の空気入りタイヤ。
【請求項６】
前記一対のサイド補強層のタイヤ径方向の内端は、前記ビードコアのタイヤ径方向の外端よりタイヤ径方向外側にそれぞれ位置し、
前記一対のサイド補強層のタイヤ径方向の外端は、前記ビードフィラーのタイヤ径方向の外端と、前記トレッド部に配置されたベルトの端部との間にそれぞれ位置する、請求項１から請求項５のいずれか１項に記載の空気入りタイヤ。
【請求項７】
前記一対のサイド補強層のタイヤ径方向の外端は、タイヤ最大幅位置よりもタイヤ径方向内側にそれぞれ位置している、請求項４に記載の空気入りタイヤ。
【請求項８】
前記一対のサイド補強層の厚さはそれぞれ、１．０５ｍｍ以上１．７０ｍｍ以下である、請求項１から請求項７のいずれか１項に記載の空気入りタイヤ。
【請求項９】
前記一対のサイド補強層のいずれについても、前記補強コードはスチールコードである、請求項１から請求項８のいずれか１項に記載の空気入りタイヤ。
【発明の詳細な説明】
【技術分野】
【０００１】
本発明は、空気入りタイヤに関する。
【背景技術】
【０００２】
特許文献１には、ビードフィラーに対してタイヤ幅方向に隣接してタイヤ径方向外側へ延びるように配置されたサイド補強層を備えた、空気入りタイヤが開示されている。サイド補強層は、引き揃えられた複数の補強コードと、これらの補強コードを被覆するゴム層とを有する。補強コードは、タイヤ径方向及びタイヤ周方向に対して傾斜して延びている。
【０００３】
サイド補強層を設けることで、主に、サイドウォール部のタイヤ幅方向の剛性が増大する。タイヤ幅方向の剛性の増大により、レーンチェンジ、旋回のように、タイヤ幅方向に力が作用する場合のサイドウォール部の変形が抑制され、操縦安定性が向上する。
【先行技術文献】
【特許文献】
【０００４】
【特許文献１】特開平５−２７０２１８号公報
【発明の概要】
【発明が解決しようとする課題】
【０００５】
特許文献１に開示されたものを含め、従来のサイド補強層を有する空気入りタイヤは、乗り心地性について、更なる改良の余地がある。
【０００６】
本発明は、サイド補強層を設けて操縦安定性を向上させながら、乗り心地性を向上できる空気入りタイヤを提供することを課題とする。
【課題を解決するための手段】
【０００７】
本発明の一態様は、トレッド部の両端からタイヤ径方向内側にそれぞれ延びる一対のサイドウォール部と、前記一対のサイドウォール部のタイヤ径方向内側の端部にそれぞれ配置され、ビードコアと、前記ビードコアに連なってタイヤ径方向外側に延びるビードフィラーとを備える一対のビード部と、前記一対のビード部の前記ビードフィラーに対して、タイヤ幅方向に隣接し、かつタイヤ径方向外側に延びるようにそれぞれ配置され、引き揃えられた複数の補強コードと、前記複数の補強コードを被覆するゴム層とを備え、前記複数の補強コードはタイヤ周方向に間隔をあけて配置され、かつ前記複数の補強コードはタイヤ径方向に対して傾斜している、一対のサイド補強層とを備え、前記一対のサイド補強層の少なくとも一方の前記複数の補強コードは、前記サイド補強層のタイヤ径方向の内端を含み、タイヤ周方向に対して第１傾斜角度を有する第１部分と、前記サイド補強層のタイヤ径方向の外端を含み、タイヤ周方向に対して前記第１傾斜角度よりも小さい第２傾斜角度を有する第２部分とをそれぞれ備える、空気入りタイヤを提供する。
【０００８】
ビードフィラーに対してタイヤ幅方向に隣接してタイヤ径方向外側に延びるように配置されたサイド補強層を設けることで、サイドウォール部の変形が抑制される。その結果、操縦安定性が向上する。
【０００９】
補強コードのタイヤ周方向に対する傾斜角度は、補強コードのタイヤ径方向の内端におけるタイヤ周方向に対する接線である基準線に対して、補強コードがなす角度（鋭角）と定義される。
【００１０】
個々の補強コードにおいて、タイヤ径方向の外端を含む部分、つまり最外周側の部分である第２部分が有する第２傾斜角度は、タイヤ径方向の内端を含む部分、つまり最内周側の部分である第１部分が有する第１傾斜角度よりも小さい。補強コードの傾斜角度をこのように設定することで、サイド補強層のタイヤ径方向外側の領域におけるタイヤ径方向の剛性は、タイヤ径方向内側の領域におけるタイヤ径方向の剛性に対して相対的に低くなる。このように、サイド補強層のタイヤ径方向外側の領域のタイヤ径方向の剛性が相対的に低いことで、サイドウォール部のタイヤ幅方向の剛性の過度な増大が抑制される。その結果、サイドウォール部のタイヤ幅方向の変形が過度に抑制されず、サイドウォール部のタイヤ幅方向の変形性がある程度確保されるので、乗り心地性が向上する。
【００１１】
補強コードの第１及び第２部分における傾斜角度を上述のように設定し、サイド補強層のタイヤ径方向外側の領域における剛性を相対的に低く設定することで、サイドウォール部のタイヤ径方向の弾性係数の過度な増大が抑制される。その結果、路面から空気入りタイヤへのタイヤ径方向の負荷入力に対する伝達遮断性が向上する。かかる伝達遮断性の向上によっても、乗り心地性が向上する。
【００１２】
サイド補強層の補強コードの傾斜角度が過度に小さいと、サイドウォール部のタイヤ径方向の剛性が不足し、操縦安定性を十分に向上させることができない。また、サイド補強層の補強コードの傾斜角度が過度に大きいと、サイドウォール部のタイヤ径方向の剛性が過度に大きくなり、必要な乗り心地性が得られない。さらに、第２傾斜角度が第１傾斜角度に対してある程度の差で小さくないと、サイド補強層のタイヤ径方向外側の領域におけるタイヤ径方向の剛性を相対的に低くすることの効果が十分得られず、乗り心地性が向上しない。
【００１３】
従って、前記第１傾斜角度は２５度以上４５度以下であり、前記第２傾斜角度は１５度以上３５度以下であることが好ましい。
【００１４】
また、前記第１傾斜角度から前記第２傾斜角度を引いた差が５度以上であることが好ましい。
【００１５】
前記一対のサイド補強層の両方の前記複数の補強コードが、前記第１部分と前記第２部分とをそれぞれ備えてもよい。
【００１６】
空気入りタイヤの回転向きが指定されており、前記一対のサイド補強層のいずれについても、個々の前記補強コードは、タイヤ径方向の内端よりもタイヤ径方向の外端が前記回転向きの前方側に位置するように、タイヤ径方向に対して傾斜してもよい。
【００１７】
一対のサイド補強層において、補強コードはタイヤ径方向に対して同じ向きに傾斜している。つまり、一対のサイド補強層のいずれについても、補強コードは、タイヤ径方向の内端よりもタイヤ径方向の外端が回転向きの前方側に位置するように、タイヤ径方向に対して傾斜している。そのため、車両の制動時に路面から空気入りタイヤが受ける力の向きは、個々の補強コードを伸縮させる向きではなく、補強コードをタイヤ周方向にさらに傾斜させ、ないしは補強コードを曲げる向きとなる。その結果、車両の制動時の接地長を伸ばすことができ、制動性が向上する。
【００１８】
前記一対のサイド補強層のタイヤ径方向の内端は、前記ビードコアのタイヤ径方向の外端よりタイヤ径方向外側にそれぞれ位置し、前記一対のサイド補強層のタイヤ径方向の外端は、前記ビードフィラーのタイヤ径方向の外端と、前記トレッド部に配置されたベルトの端部との間にそれぞれ位置してもよい。
【００１９】
また、前記一対のサイド補強層のタイヤ径方向の外端は、タイヤ最大幅位置よりもタイヤ径方向内側にそれぞれ位置してもよい。
【００２０】
ビードコアはそれ自体で高剛性であるため、ビードコアに対してタイヤ幅方向に隣接して一対のサイド補強層をそれぞれ配置しても、それ以上の剛性向上は期待できず、重量増のみを招き得る。従って、一対のサイド補強層のタイヤ径方向の内端は、ビードコアのタイヤ径方向の外端よりタイヤ径方向の外側に位置することが好ましい。
【００２１】
サイドウォール部のトレッド部に近い領域までサイド補強層が設けられていると、サイドウォール部のタイヤ幅方向の変形が過度に妨げられ、乗り心地性が低下し得る。一対のサイド補強層の外端が、トレッド部に配置されたベルトの端部よりもタイヤ径方向内側、好ましくはタイヤ最大幅位置よりもタイヤ径方向内側に位置することで、サイドウォール部のタイヤ幅方向の変形性が確保され、必要な乗り心地性が得られる。
【００２２】
前記一対のサイド補強層の厚さはそれぞれ、１．０５ｍｍ以上１．７０ｍｍ以下に設定し得る。
【００２３】
前記一対のサイド補強層のいずれについても、前記補強コードはスチールコードであってもよい。
【発明の効果】
【００２４】
本発明の空気入りタイヤによれば、サイド補強層を設けることにより操縦安定性を向上させながら、乗り心地性を向上できる。
【図面の簡単な説明】
【００２５】
【図１】本発明の実施形態に係る空気入りタイヤの子午線断面図。
【図２Ａ】サイド補強層を透過して示す、図１の矢印Ａ１から見た空気入りタイヤの側面図。
【図２Ｂ】サイド補強層を透過して示す、図１の矢印Ａ２から見た空気入りタイヤの側面図。
【図３Ａ】図２Ａの部分拡大図。
【図３Ｂ】図２Ｂの部分拡大図。
【図４】制動時の接地長について説明するための、本発明の実施形態に係る空気入りタイヤの模式的な部分側面図。
【図５】制動時の接地長について説明するための、比較例に係る空気入りタイヤの模式的な側面図。
【図６Ａ】本発明の第２実施形態に係る空気入りタイヤの図３Ａと同様の部分拡大図。
【図６Ｂ】本発明の第２実施形態に係る空気入りタイヤの図３Ｂと同様の部分拡大図。
【図７Ａ】本発明の第３実施形態に係る空気入りタイヤの図３Ａと同様の部分拡大図。
【図７Ｂ】本発明の第３実施形態に係る空気入りタイヤの図３Ｂと同様の部分拡大図。
【図８】本発明の変形例に係る空気入りタイヤのビード部付近の子午線断面図。
【発明を実施するための形態】
【００２６】
以下、本発明に係る実施形態を添付図面に従って説明する。なお、以下の説明は、本質的に例示に過ぎず、本発明、その適用物、あるいは、その用途を制限することを意図するものではない。また、図面は模式的なものであり、各寸法の比率等は現実のものとは相違している。
【００２７】
（第１実施形態）
図１は、本発明の一実施形態に係る空気入りタイヤ１の子午線半断面図、つまりタイヤ赤道面に直交する面における断面図である。空気入りタイヤ１は、回転向きが指定されている。つまり、図１において、矢印Ｂで示す車両（図示）の前進時の空気入りタイヤ１の回転向きＣが指定されている。なお、図１では、サイドウォール部３Ａ、ビード部４Ａ、チェーファー層１３Ａ、及びサイド補強層２１Ａが車両に対してアウト側に位置し、サイドウォール部３Ｂ、ビード部４Ｂ、チェーファー層１３Ｂ、及びサイド補強層２１Ｂが車両に対してイン側に位置する。
【００２８】
空気入りタイヤ１は、トレッド部２と、トレッド部２のタイヤ幅方向の両端からタイヤ径方向内側にそれぞれ延びる一対のサイドウォール部３Ａ，３Ｂと、これら一対のサイドウォール部３Ａ，３Ｂのタイヤ径方向内側の端部にそれぞれ配置された一対のビード部４Ａ，４Ｂを備える。
【００２９】
一対のビード部４Ａ，４Ｂの間には、トレッド部２及びサイドウォール部３Ａ，３Ｂのタイヤ径方向内側に、トロイダル状のカーカスプライ５が配置されている。カーカスプライ５のタイヤ径方向内側には、インナーライナー６が配置されている。トレッド部２では、カーカスプライ５のタイヤ径方向外側に、複数層のベルト層７とベルト補強層８（ベルト）とが設けられている。
【００３０】
個々のビード部４Ａ，４Ｂは、ビードコア１１と、ビードコア１１に連なってタイヤ径方向外側に延びるゴム製のビードフィラー１２とを備える。ビードコア１１は、複数本のビードワイヤを束ねて環状に構成したものである。ビードコア１１のタイヤ径方向の外側の端面（外端）１１ａに沿って、断面形状が概ね三角形状である環状のビードフィラー１２が配置されている。
【００３１】
ビード部４Ａ，４Ｂの周囲には、チェーファー層１３Ａ，１３Ｂが配置されている。チェーファー層１３Ａ，１３Ｂは、カーカスプライ５の外面側（ビード部４Ａ，４Ｂとは反対側）に隣接して配置されており、カーカスプライ５と共に、ビード部４Ａ，４Ｂの周囲においてタイヤ幅方向内側から外側へ折り返され、タイヤ径方向の外側へ巻き上げられている。
【００３２】
また、ビード部４Ａ，４Ｂでは、カーカスプライ５の巻き上げられた部分とビードフィラー１２との間に、サイド補強層２１Ａ，２１Ｂが配置されている。以下、図１のように指定されたインアウトで空気入りタイヤ１が車両に正規に装着された場合に、車両に対してアウト側に位置するサイド補強層２１Ａをアウト側サイド補強層２１Ａと呼び、車両に対してイン側に位置するサイド補強層２１Ｂをイン側サイド補強層２１Ｂと呼ぶ。
【００３３】
図２Ａ，２Ｂを併せて参照すると、個々のアウト側及びイン側サイド補強層２１Ａ，２１Ｂは、タイヤ幅方向から見ると概ね環状をなす帯状である。また、個々のアウト側及びイン側サイド補強層２１Ａ，２１Ｂは、引き揃えられた複数の補強コード２２と、これら複数の補強コード２２を被覆するゴム層２３とを有する。本実施形態では、アウト側及びイン側サイド補強層２１Ａ，２１Ｂのゴム層２３のゴム硬度を同一に設定している。また、本実施形態では、アウト側及びイン側サイド補強層２１Ａ，２１Ｂのいずれについても、補強コード２２はスチールコードである。引張強度を含む必要な特性が得られるのであれば、補強コード２２はアラミドコードのような樹脂コードであってもよい。さらに、本実施形態では、アウト側サイド補強層２１Ａとイン側サイド補強層２１Ｂとで、補強コード２２の直径（コード径）とエンド数を同一に設定している。
【００３４】
図１を参照すると、本実施形態では、アウト側サイド補強層２１Ａとイン側サイド補強層２１Ｂとは、幅ＷＳ１，ＷＳ２が同一である。また、本実施形態では、アウト側サイド補強層２１Ａとイン側サイド補強層２１Ｂとは、タイヤ径方向の内端２１ａの径方向の位置Ｐ１と、タイヤ径方向の外端２１ｂの位置Ｐ２も同一である。
【００３５】
アウト側及びイン側サイド補強層２１Ａ，２１Ｂの内端２１ａ（位置Ｐ１）は、ビードコア１１のタイヤ径方向外側の端面２１ｂ（位置Ｐ３）よりタイヤ径方向の外側に位置する。また、アウト側及びイン側サイド補強層２１Ａ，２１Ｂのタイヤ径方向の外端２１ｂ（位置Ｐ２）は、ビードフィラー１２のタイヤ径方向の外端１２ａ（位置Ｐ４）とベルト補強層８のタイヤ幅方向外側の端部８ａとの間に位置する。本実施形態では、アウト側及びイン側サイド補強層２１Ａ，２１Ｂのタイヤ径方向の外端２１ｂ（位置Ｐ２）は、ビードフィラー１２のタイヤ径方向の外端１２ａ（位置Ｐ４）とカーカスプラス５の巻き上げられた部分の端部５ａ（位置Ｐ５）との間に位置している。より具体的には、アウト側及びイン側サイド補強層２１Ａ，２１Ｂのタイヤ径方向の外端２１ｂ（位置Ｐ２）は、タイヤ最大幅位置Ｐ６よりも、タイヤ径方向の内側に位置している。
【００３６】
本実施形態では、アウト側及びイン側サイド補強層２１Ａ，２１Ｂの厚さは同一であり、１．０５ｍｍ以上１．７０ｍｍ以下の範囲に設定されている。
【００３７】
本実施形態では、アウト側サイド補強層２１Ａとイン側サイド補強層２１Ｂのいずれについても、複数の補強コード２２は、タイヤ周方向に間隔をあけて配置されている。また、本実施形態では、アウト側サイド補強層２１Ａとイン側サイド補強層２１Ｂとで、個々の補強コード２２の形状、寸法、及びタイヤ幅方向から見たときの姿勢を同一に設定している。まず、アウト側サイド補強層２１Ａ及びイン側サイド補強層２１Ｂのいずれについても、個々の補強コード２２は、後に詳述するように、タイヤ幅方向から見て折れ線状である。また、アウト側サイド補強層２１Ａ及びイン側サイド補強層２１Ｂのいずれについても、個々の補強コード２２はタイヤ周方向とタイヤ径方向のいずれにも一致しない方向に延びている。つまり、アウト側サイド補強層２１Ａ及びイン側サイド補強層２１Ｂのいずれについても、個々の補強コード２２はタイヤ周方向とタイヤ径方向の両方に対して傾斜している。
【００３８】
アウト側サイド補強層２１Ａとイン側サイド補強層２１Ｂとで、補強コード２２はタイヤ周方向に対して同じ向きに傾斜している。具体的には、図２Ａ及び図３Ａを参照すると、アウト側サイド補強層２１Ａでは、個々の補強コード２２は、タイヤ径方向の内端２２ａよりも外端２２ｂが空気入りタイヤ１の回転向きＣ(前述のように車両が図１において矢印Ｂで示すように前進する際の回転向き)の前方側に位置するように、タイヤ周方向及びタイヤ径方向に対して傾斜している。同様に、図２Ｂ及び図３Ｂを参照すると、イン側サイド補強層２１Ｂでは、個々の補強コード２２は、タイヤ径方向の内端２２ａよりも外端２２ｂが空気入りタイヤ１の回転向きＣの前方側に位置するように、タイヤ周方向及びタイヤ径方向に対して傾斜している。
【００３９】
図３Ａ及び図３Ｂを参照すると、アウト側及びイン側サイド補強層２１Ａ，２１Ｂの補強コード２２は、内端２２ａを含む内側直線部（第１部分）２２ｃと、外端２２ｂを含む外側直線部（第２部分）２２ｄと、内側直線部２２ｃと外側直線部２２ｄとの間の曲り部２２ｅとを備える。アウト側サイド補強層２１Ａにおける内側直線部２２ｃと外側直線部２２ｄの長さ、及び曲り部２２ｅの曲り角度は、イン側サイド補強層２１Ｂと同一に設定されている。
【００４０】
図３Ａを参照すると、アウト側サイド補強層２１Ａの補強コード２２では、内側直線部２２ｃはタイヤ周方向に対して傾斜角度θａ１をなし、外側直線部２２ｄはタイヤ周方向に対して傾斜角度θｂ１をなす。傾斜角度θｂ１は傾斜角度θａ１よりも小さい。同様に、図３Ｂを参照すると、イン側サイド補強層２１Ｂの補強コード２２では、内側直線部２２ｃはタイヤ周方向に対して傾斜角度θａ２をなし、外側直線部２２ｄはタイヤ周方向に対して傾斜角度θｂ２をなす。傾斜角度θｂ２は傾斜角度θａ２よりも小さい。傾斜角度θａ１,θｂ１，θａ２，θｂ２は、補強コード２２のタイヤ径方向の内端２２ａにおけるタイヤ周方向に対する接線である基準線ＳＬに対して、補強コード２２がなす角度（鋭角）と定義される。
【００４１】
本実施形態では、アウト側サイド補強層２１Ａの補強コード２２の内側直線部２２ｃと外側直線部２２ｄの傾斜角度θａ１，θｂ１と、イン側サイド補強層２１Ｂの補強コード２２の内側直線部２２ｃと外側直線部２２ｄの傾斜角度θａ２，θｂ２とがそれぞれ同一に設定されている。
【００４２】
アウト側及びイン側サイド補強層２１Ａ，２１Ｂの内側直線部２２ｃの傾斜角度θａ１，θａ２は、２５度以上４５度以下に設定される。また、アウト側及びイン側サイド補強層２１Ａ，２１Ｂの外側直線部２２ｄの傾斜角度θｂ１，θｂ２は、１５度以上３５度以下に設定される。
【００４３】
アウト側サイド補強層２１Ａにおける内側直線部２２ｃの傾斜角度θａ１からアウト側サイド補強層２１Ａにおける外側直線部２２ｄの傾斜角度θｂ１を引いた差は、５度以上に設定される。同様に、イン側サイド補強層２１Ｂにおける内側直線部２２ｃの傾斜角度θａ２からイン側サイド補強層２１Ｂにおける外側直線部２２ｄの傾斜角度θｂ２を引いた差は、５度以上に設定される。つまり、傾斜角度θａ１,θｂ１，θａ２，θｂ２は、以下の関係を満たすように設定される。
【００４４】
（数１）
θａ１−θｂ１≧５°
θａ２−θｂ２≧５°
【００４５】
以上の構成を有する本実施形態に係る空気入りタイヤ１の種々の特徴を説明する。
【００４６】
一対のビード部４Ａ，４Ｂのビードフィラー１２に対してタイヤ幅方向に隣接してタイヤ径方向外側に延びるように配置されたアウト側及びイン側サイド補強層２１Ａ，２１Ｂを設けることで、サイドウォール部３Ａ，３Ｂの変形が抑制される。その結果、操縦安定性が向上する。
【００４７】
個々の補強コード２２において、外端２２ｂを含む部分、つまり最外周側の部分である外側直線部２２ｄが有する傾斜角度θｂ１，θｂ２は、内端２２ａを含む部分、つまり最内周側の部分である内側直線部２２ｃが有する傾斜角度θａ１，θａ２よりも小さい。補強コード２２の傾斜角度θａ１，θａ２，θｂ１，θｂ２をこのように設定することで、アウト側及びイン側サイド補強層２１Ａ，２１Ｂのタイヤ径方向外側の領域におけるタイヤ径方向の剛性は、タイヤ径方向の内側の領域におけるタイヤ径方向の剛性に対して相対的に低くなる。このように、アウト側及びイン側サイド補強層２１Ａ，２１Ｂのタイヤ径方向外側の領域のタイヤ径方向の剛性が相対的に低いことで、サイドウォール部３Ａ，３Ｂのタイヤ幅方向の剛性の過度な増大が抑制される。その結果、サイドウォール部３Ａ，３Ｂのタイヤ幅方向の変形が過度に抑制されず、サイドウォール部３Ａ，３Ｂのタイヤ幅方向の変形性がある程度確保されるので、乗り心地性が向上する。
【００４８】
補強コード２２の内側直線部２２ｃと外側直線部２２ｄの傾斜角度θａ１，θａ２，θｂ１，θｂ２を上述のように設定し、アウト側及びイン側サイド補強層２１Ａ，２１Ｂのタイヤ径方向外側の領域における剛性を相対的に低く設定することで、サイドウォール部３Ａ，３Ｂのタイヤ径方向の弾性係数の過度な増大が抑制される。その結果、路面から空気入りタイヤ１へのタイヤ径方向の負荷入力に対する伝達遮断性が向上する。かかる伝達遮断性の向上によっても、乗り心地性が向上する。
【００４９】
図２Ａから図３Ｂを参照すると、前述のように、アウト側サイド補強層２１Ａとイン側サイド補強層２１Ｂとのいずれについても、補強コード２２はタイヤ径方向及びタイヤ周方向に対して同じ向き、つまりタイヤ径方向の内端２２ａよりもタイヤ径方向の外端２２ｂが回転向きＣの前方側に位置する向きに傾斜している（傾斜角度θａ１，θａ２，θｂ１，θｂ２）。かかるアウト側及びイン側サイド補強層２１Ａ，２１Ｂの補強コード２２の傾きの設定により、制動性が向上する。以下、この点について詳述する。
【００５０】
図４を参照すると、車両の制動時に路面から空気入りタイヤ１が受ける力Ｆａは、車両及び空気入りタイヤ１自体の重量に由来する鉛直方向上向きの力Ｆｂと、トレッド部２と路面Ｇとの間の摩擦力に由来する水平方向で車両の進行方向とは反対向きの力Ｆｃの合力とみなせる。アウト側及びイン側サイド補強層２１Ａ，２１Ｂの補強コード２２の傾きを本実施形態のように設定していると、路面Ｇから空気入りタイヤ１が受ける力Ｆａの向きは、補強コード２２をタイヤ周方向にさらに傾斜させ、ないしは補強コード２２を曲げる向きとなる。そのため、空気入りタイヤ１の接地形状ＣＣの車両進行方向の寸法（接地長Ｌ）が、通常走行時（破線で示す）と比べて制動時（実線で示す）に大幅に長くなる。車両の制動時の接地長Ｌが大幅に延びることで、制動性が向上する。
【００５１】
図５に示す比較例では、アウト側及びイン側サイド補強層２１Ａ，２１Ｂの補強コード２２のタイヤ径方向及びタイヤ周方向に対する傾斜が、本実施形態とは逆向きである。つまり、図５の比較例では、アウト側及びイン側サイド補強層２１Ａ，２１Ｂの補強コード２２は、タイヤ径方向の内端２２ａよりもタイヤ径方向の外端２２ｂが回転向きＣの後方側に位置する向きに傾斜している。アウト側及びイン側サイド補強層２１Ａ，２１Ｂの補強コード２２の傾きをこのように設定していると、路面Ｇから空気入りタイヤ１が受ける力Ｆａの向きは、個々の補強コード２２を伸縮させる向きとなる。その結果、本実施形態とは異なり、接地長Ｌは、通常走行時（破線で示す）と比べて制動時（実線で示す）に余り長くならず、制動性は本実施形態と比較して劣る。
【００５２】
また、本実施形態では、アウト側サイド補強層２１Ａの補強コード２２の傾斜角度θａ１，θｂ１と、イン側サイド補強層２１Ｂの補強コード２２の傾斜角度θａ２，θｂ２とが等しいことで、車両の制動時にイン側とアウト側とで接地長Ｌが均一化される。これによっても制動性が向上する。
【００５３】
アウト側及びイン側サイド補強層２１Ａ，２１Ｂの補強コード２２の傾斜角度θａ１，θａ２，θｂ１，θｂ２が過度に小さいと、サイドウォール部３Ａ，３Ｂのタイヤ径方向の剛性が不足し、操縦安定性を十分に向上させることができない。また、アウト側及びイン側サイド補強層の補強コードの傾斜角度が過度に大きいと、サイドウォール部３Ａ，３Ｂのタイヤ径方向の剛性が過度に大きくなり、必要な乗り心地性が得られない。さらに、傾斜角度θｂ１，θｂ２が傾斜角度θａ１，θａ２に対してある程度の差で小さくないと、アウト側及びイン側サイド補強層２１Ａ，２１Ｂのタイヤ径方向外側の領域におけるタイヤ径方向の剛性を相対的に低くすることの効果が十分得られず、乗り心地性が向上しない。これらの理由から、前述のように、内側直線部２２ｃの傾斜角度θａ１，θａ２を２５度以上４５度以下に設定し、外側直線部２２ｄの傾斜角度θｂ１，θｂ２を１５度以上３５度以下に設定することが好ましい。また、内側直線部２２ｃの傾斜角度θａ１，θａ２から外側直線部２２ｄの傾斜角度θｂ１，θｂ２を引いた差を、前述のように５度以上に設定することが好ましい。
【００５４】
ビードコア１１はそれ自体で高剛性であるため、ビードコア１１に対してタイヤ幅方向に隣接してアウト側及びイン側サイド補強層２１Ａ，２１Ｂを配置しても、それ以上の剛性向上は期待できず、重量増のみを招き得る。従って、アウト側及びイン側サイド補強層２１Ａ，２１Ｂのタイヤ径方向の内端２１ａは、本実施形態のように、ビードコア１１のタイヤ径方向の外端、つまり端面１１ａよりもタイヤ径方向の外側に位置することが好ましい。
【００５５】
サイドウォール部３Ａ，３Ｂのトレッド部２に近い領域までアウト側及びイン側サイド補強層２１Ａ，２１Ｂが設けられていると、サイドウォール部３のタイヤ幅方向の変形が過度に妨げられ、乗り心地性が低下し得る。本実施形態のように、アウト側及びイン側サイド補強層２１Ａ，２１Ｂの外端２１ｂが、ベルト補強層８のタイヤ幅方向外側の端部８ａよりも、好ましくはタイヤ最大幅位置Ｐ６よりもタイヤ径方向の内側に位置することで、サイドウォール部３Ａ，３Ｂのタイヤ幅方向の変形性が確保され、必要な乗り心地性が得られる。
【００５６】
以上のように、本実施形態に係る空気入りタイヤ１によれば、アウト側及びイン側サイド補強層２１Ａ，２１Ｂを設けることにより操縦安定性を向上させながら、乗り心地性を向上できる。
【００５７】
以下、本発明の第２及び第３実施形態を説明する。これらの実施形態における、特に言及しない構造、作用、及び機能は、第１実施形態と同様である。また、第１実施形態と同一又は同様の要素には、同一の符号が付されており、それらの要素に関する第１実施形態に関する説明と図面も参照される。
【００５８】
（第２実施形態）
図６Ａ及び図６Ｂを参照すると、本実施形態では、補強コード２２は２個の曲げ部２２ｆ，２２ｇを備え、内側直線部２２ｃと外側直線部２２ｄとの間に中間直線部２２ｈを備える。また、第１実施形態と同様に、補強コード２２は、タイヤ径方向の内端２２ａよりも外端２２ｂが空気入りタイヤ１の回転向きＣの前方側に位置するように、タイヤ周方向及びタイヤ径方向に対して傾斜している。
【００５９】
アウト側サイド補強層２１Ａとイン側サイド補強層２１Ｂとで、中間直線部２２ｈのタイヤ周方向に対する傾斜角度θｃ１，θｃ２を同一に設定している。第１実施形態と同様に、アウト側サイド補強層２１Ａとイン側サイド補強層２１Ｂとの間で、内側直線部２２ｃの傾斜角度θａ１，θａ２を同一に設定し、外側直線部２２ｄの傾斜角度θｂ１，θｂ２を同一に設定している。アウト側及びイン側サイド補強層２１Ａ，２１Ｂのいずれについても、中間直線部２２ｈの傾斜角度θｃ１，θｃ２は、内側直線部２２ｃの傾斜角度θａ１，θａ２よりも小さく、外側直線部２２ｄの傾斜角度θｂ１，θｂ２よりも大きい。
【００６０】
補強コード２２に、３個以上の曲げ部を設けてもよい。
【００６１】
（第３実施形態）
図７Ａ及び図７Ｂを参照すると、本実施形態では、アウト側及びイン側サイド補強層２１Ａ，２１Ｂの補強コード２２のタイヤ幅方向から見た形状が、同一曲率を有する円弧状（回転向きＣの後方側に凸状）である。また、第１実施形態と同様に、補強コード２２は、タイヤ径方向の内端２２ａよりも外端２２ｂが空気入りタイヤ１の回転向きＣの前方側に位置するように、タイヤ周方向及びタイヤ径方向に対して傾斜している。
【００６２】
補強コード２２は円弧状であるので傾斜角度は、内端２２ａから外端２２ｂに向けて漸減している。例えば、内端２２ａにおける傾斜角度θｄ１，θｄ２（第１及び第２実施形態における傾斜角度θａ１，θａ２に相当）よりも、外端２２ｂ付近における傾斜角度θｅ１，θｅ２（第１及び第２実施形態における傾斜角度θｂ１，θｂ２に相当）が小さい。
【００６３】
補強コード２２のタイヤ幅方向から見た形状を、回転向きＣの後方側に凸状である円弧状以外の曲線（例えば楕円弧）としてもよい。
【００６４】
第２及び第３実施形態のいずれについても、第１実施形態と同様に、アウト側及びイン側サイド補強層２１Ａ，２１Ｂのタイヤ径方向外側の領域におけるタイヤ径方向の剛性を、タイヤ径方向の内側の領域におけるタイヤ径方向の剛性に対して相対的に低く設定している。これにより、アウト側及びイン側サイド補強層２１Ａ，２１Ｂを設けることにより操縦安定性を向上させながら、乗り心地性を向上できる。
【００６５】
また、第２及び第３実施形態のいずれについても、第１実施形態と同様に、補強コード２２は、タイヤ径方向の内端２２ａよりも外端２２ｂが空気入りタイヤ１の回転向きＣの前方側に位置するように傾斜しているので、制動性を向上できる。
【００６６】
図８に示す変形例に係る空気入りタイヤ１は、カーカスプライ５の巻き上げられた部分とビードフィラー１２との間、つまりビードフィラー１２に対してタイヤ幅方向外側に配置されたサイド補強層２１Ａ，２１Ｂに加え、ビードフィラー１２に対してタイヤ幅方向内側に配置されたサイド補強層２１Ａ’，２１Ｂ’を備える。ビードフィラー１２に対してタイヤ幅方向内側に配置されたサイド補強層２１Ａ’，２１Ｂ’のみを設け、ビードフィラー１２に対してタイヤ幅方向外側に配置されたサイド補強層２１Ａ，２１Ｂをなくしてもよい。
【符号の説明】
【００６７】
１  空気入りタイヤ
２  トレッド部
３Ａ，３Ｂ  サイドウォール部
４Ａ，４Ｂ  ビード部
５  カーカスプライ
５ａ  端部
６  インナーライナー
７  ベルト層
８  ベルト補強層
８ａ  端部
１１  ビードコア
１１ａ  端面（外端）
１２  ビードフィラー
１２ａ  外端
１３Ａ，１３Ｂ  チェーファー層
２１Ａ，２１Ｂ，２１Ａ’，２１Ｂ’  サイド補強層
２１ａ  内端
２１ｂ  外端
２２  補強コード
２２ａ  内端
２２ｂ  外端
２２ｃ  内側直線部
２２ｄ  外側直線部
２２ｅ，２２ｆ，２２ｇ  曲り部
２２ｈ  中間直線部
２３  ゴム層
Ａ１，Ａ２  側面視の向き
Ｂ  前進方向
Ｃ  回転向き
ＷＳ１，ＷＳ２  サイド補強層の幅
Ｐ１  サイド補強層の内端の位置
Ｐ２  サイド補強層の外端の位置
Ｐ３  ビードコアの端面の位置
Ｐ５  カーカスプライの端部の位置
Ｐ６  タイヤ最大幅位置
θａ１,θａ２,θｂ１,θｂ２,θｃ１,θｃ２,θｄ１,θｄ２,θｅ１,θｅ２  傾斜角度
ＳＬ  基準線
Ｆａ，Ｆｂ，Ｆｃ  力
Ｇ  路面
ＣＣ  接地形状
Ｌ  接地長
【図１】
2019116173.tif 000003
【図２Ａ】
2019116173.tif 000004
【図２Ｂ】
2019116173.tif 000005
【図３Ａ】
2019116173.tif 000006
【図３Ｂ】
2019116173.tif 000007
【図４】
2019116173.tif 000008
【図５】
2019116173.tif 000009
【図６Ａ】
2019116173.tif 000010
【図６Ｂ】
2019116173.tif 000011
【図７Ａ】
2019116173.tif 000012
【図７Ｂ】
2019116173.tif 000013
【図８】
2019116173.tif 000014